(57)【特許請求の範囲】
【請求項１】
貯留槽あるいは貯水槽部（２）と、上遮水シート部（３）と、雨水排出兼冷却装置部（４）から構成され、上遮水シート部（３）の上面に溜った雨水、融雪水などを貯留槽あるいは貯水槽部の外部に排水したり、貯留槽あるいは貯水槽部の露出部分に散水するよう構成されていることを特徴する廃棄物処理場あるいは屋外貯水槽における雨水排出兼冷却装置。
【請求項２】
貯留槽あるいは貯水槽部（２）と、上遮水シート部（３）と、雨水排出兼冷却装置部（４）から構成され、
貯留槽あるいは貯水槽部（２）は、設置を所望する箇所の地面に盛土により構成された底面部（２Ａ）と、この底面部の周囲に平面方形に連設された側壁面部（２Ｂ）と、側壁面部の内面に形成された法面（２Ｂ１）と、底面部（２Ａ）の表面、側壁面部（２Ｂ）の法面（２Ｂ１）と側壁面部の上面（２Ｂ２）を覆うように敷設されたプラスチックシートでなる下遮水シート（２Ｃ）から構成され、貯留槽あるいは貯水槽部（２）には、スラリーなどの産業廃棄物や水などの被収納物（５）を投入する投入パイプ（２Ｄ）と、排出する排出パイプ（２Ｅ）が配設され、
上遮水シート部（３）は、プラスチックシートを素材として貯留槽あるいは貯水槽部（２）の上面開口部の寸法より大きい面積に構成され、貯留槽あるいは貯水槽部（２）内に収納されたスラリーなどの産業廃棄物や水などの被収納物（５）の上面を確実に覆うよう敷設され、
雨水排出兼冷却装置部（４）は、雨水排出装置（４Ａ）と冷却装置（４Ｂ）から構成され、雨水排出装置（４Ａ）は、上遮水シート部（３）上の所定箇所に配設されたポンプ（４Ａ１）と、このポンプから貯留槽あるいは貯水槽部の外部の排水溝に引出された排出パイプ（４Ａ２）から構成され、冷却装置（４Ｂ）は、雨水排出装置における排出パイプ（４Ａ２）の途中に配設された切替えバルブ（４Ｂ１）と、切替えバルブより分岐され、かつ貯留槽あるいは貯水槽部（２）における側壁面部（２Ｂ）の上面に配管された散水パイプ（４Ｂ２）と、散水パイプの内周面に所定間隔をもって取付けられたスプリンクラー（４Ｂ３）から構成され、スプリンクラーは、側壁面部（２Ｂ）における法面（２Ｂ１）に上方から散水するよう構成されていることを特徴する廃棄物処理場あるいは屋外貯水槽における雨水排出兼冷却装置。
【請求項３】
上遮水シート部（３）を構成するプラスチックシートを透明なもので構成した請求項１あるいは請求項２記載の廃棄物処理場あるいは屋外貯水槽における雨水排出兼冷却装置。
【発明の詳細な説明】
【０００１】
【発明の属する技術分野】
本発明は、廃棄物処理場あるいは屋外貯水槽における雨水排出兼冷却装置に関するものである。
特に、プラスチックシートを用いた廃棄物処理場あるいは屋外貯水槽における露出部分の太陽光線による劣化を防止するのに好適なものである。
【０００２】
【従来の技術】
従来、提供されている所謂遮水シート敷設型ラグーンは、下記のような構成となっている。
盛土による側壁で構成されたくぼみ部の内面に、ゴム系シートが張設された貯留槽部と、スラリー投入・排出ホースと、防水シートと、防水シートの上面に配された雨水排水ホースなどが構成されている。
貯留槽部内のスラリーは防水シートで覆われ、防水シート上の雨水は雨水排水ホースで排水される。
【０００３】
【発明が解決しようとする課題】
従来の技術で述べたものにあっては、下記のような問題点を有していた。
盛土の側壁における上方部分が異常高温のため、ゴム系シートや防水シートが熱劣化してしまう。
本発明は、従来の技術の有するこのような問題点に鑑みなされたものであり、その目的とするところは、上述の問題を解決できるものを提供しようとするものである。
【０００４】
【課題を解決するための手段】
上記目的を達成するために、本発明は下記のようになるものである。
第１発明は、貯留槽あるいは貯水槽部２と、上遮水シート部３と、雨水排出兼冷却装置部４から構成され、上遮水シート部３の上面に溜った雨水、融雪水などを貯留槽あるいは貯水槽部の外部に排水したり、貯留槽あるいは貯水槽部の露出部分に散水するよう構成されている廃棄物処理場あるいは屋外貯水槽における雨水排出兼冷却装置である。
【０００５】
第２発明は、貯留槽あるいは貯水槽部２と、上遮水シート部３と、雨水排出兼冷却装置部４から構成され、
Ａ．貯留槽あるいは貯水槽部２は、設置を所望する箇所の地面に盛土により構成された底面部２Ａと、この底面部の周囲に平面方形に連設された側壁面部２Ｂと、側壁面部２Ｂの内面に形成された法面２Ｂ１と、底面部２Ａの表面、側壁面部２Ｂの法面２Ｂ１と側壁面部の上面２Ｂ２を覆うように敷設されたプラスチックシートでなる下遮水シート２Ｃから構成され、貯留槽あるいは貯水槽部２には、スラリーなどの産業廃棄物や水などの被収納物５を投入する投入パイプ２Ｄと、排出する排出パイプ２Ｅが配設され、
Ｂ．上遮水シート部３は、プラスチックシートを素材として貯留槽あるいは貯水槽部２の上面開口部の寸法より大きい面積に構成され、貯留槽あるいは貯水槽部２内に収納されたスラリーなどの産業廃棄物や水などの被収納物５の上面を確実に覆うよう敷設され、
Ｃ．雨水排出兼冷却装置部４は、雨水排出装置４Ａと冷却装置４Ｂから構成され、
雨水排出装置４Ａは、上遮水シート部３上の所定箇所に配設されたポンプ４Ａ１と、このポンプ４Ａ１から貯留槽あるいは貯水槽部の外部の排水溝に引出された排出パイプ４Ａ２から構成され、
冷却装置４Ｂは、雨水排出装置における排出パイプ４Ａ２の途中に配設された切替えバルブ４Ｂ１と、切替えバルブより分岐され、かつ貯留槽あるいは貯水槽部２における側壁面部２Ｂの上面に配管された散水パイプ４Ｂ２と、散水パイプの内周面に所定間隔をもって取付けられたスプリンクラー４Ｂ３から構成され、スプリンクラーは、側壁面部２Ｂにおける法面２Ｂ１に上方から散水するよう構成されている廃棄物処理場あるいは屋外貯水槽における雨水排出兼冷却装置である。
なお、第１発明、第２発明は、下記のように構成することができる。
上遮水シート部３を構成するプラスチックシートを透明なものに構成する。
【０００６】
【発明の実施の形態】
以下、本発明の実施の形態を実施例にもとづき図面を参照して説明する。
１は本発明の廃棄物処理場あるいは屋外貯水槽における雨水排出兼冷却装置で、貯留槽あるいは貯水槽部２と、上遮水シート部３と、雨水排出兼冷却装置部４から構成されている。
【０００７】
Ａ．貯留槽あるいは貯水槽部２は、設置を所望する箇所の地面に盛土により構成された底面部２Ａと、この底面部の周囲に平面方形に連設された側壁面部２Ｂと、側壁面部２Ｂの内面に形成された法面２Ｂ１と、底面部２Ａの表面、側壁面部２Ｂの法面２Ｂ１と側壁面部の上面２Ｂ２を覆うように敷設されたプラスチックシートでなる下遮水シート２Ｃから構成されている。
この場合、貯留槽あるいは貯水槽部２には、スラリーなどの産業廃棄物や水などの被収納物５を投入する投入パイプ２Ｄと、排出する排出パイプ２Ｅが配設されている。
【０００８】
Ｂ．上遮水シート部３は、プラスチックシートを素材として貯留槽あるいは貯水槽部２の上面開口部の寸法より大きい面積に構成され、貯留槽あるいは貯水槽部２内に収納されたスラリー（糞尿）などの産業廃棄物や水などの被収納物５の上面を確実に覆うよう敷設されている。
上遮水シート部３のシートに比重の大きい材質の厚生地シートを使用することで、厚生地シートの加重によりスラリーの表面と密着することになり、風にあおられることを防止できる。
この場合、上遮水シート部３を構成するプラスチックシートを透明なもので構成すると、スラリーが太陽熱を吸収し温度上昇を図ることができる。
図中、３Ａは上遮水シート部３の外周に所定間隔で添着された筒状袋で、３Ｂはこの筒状袋を貫通させたパイプである。これにより当該上遮水シート部を安定した状態で敷設することができる。
【０００９】
Ｃ．雨水排出兼冷却装置部４は、雨水排出装置４Ａと冷却装置４Ｂから構成されている。
ａ．雨水排出装置４Ａは、上遮水シート部３上の所定箇所に配設されたポンプ４Ａ１と、このポンプ４Ａ１から貯留槽あるいは貯水槽部の外部の排水溝に引出された排出パイプ４Ａ２から構成されている。
この雨水排出装置４Ａによって上遮水シート部３の上面に溜った雨水、融雪水６などを排水する。
ｂ．冷却装置４Ｂは、雨水排出装置における排出パイプ４Ａ２の途中に配設された切替えバルブ４Ｂ１と、切替えバルブより分岐され、かつ貯留槽あるいは貯水槽部２における側壁面部２Ｂの上面に配管された散水パイプ４Ｂ２と、散水パイプの内周面に所定間隔をもって取付けられたスプリンクラー４Ｂ３から構成され、スプリンクラーは、側壁面部２Ｂにおける法面２Ｂ１に上方から散水するよう構成されている。
【００１０】
【発明の効果】
本発明は、上述の通り構成されているので次に記載する効果を奏する。
１．貯留槽あるいは貯水槽部２内に投入されたスラリーなどの産業廃棄物や水などの被収納物５を、下遮水シート２Ｃと上遮水シート部３により外気と遮断して確実に管理することができる。
２．雨水排出装置４Ａによって上遮水シート部３の上面に溜った雨水、融雪水６などを公知の排水溝７などに排水することができる。
３．冷却装置４Ｂにおける切替えバルブ４Ｂ１により、上遮水シート部３の上面に溜った雨水、融雪水を散水パイプ４Ｂ２に導入し、スプリンクラー４Ｂ３により側壁面部２Ｂにおける法面２Ｂ１に上方から散水することができる。
この結果、盛土の側壁面部における上方部分が異常高温の状態になっても、下遮水シート２Ｃと上遮水シート部３の熱劣化を確実に防止することができる。
【図面の簡単な説明】
【図１】略図的平面図である。
【図２】縦断面図である。
【図３】同上の要部拡大図である。
【図４】作用を説明する要部拡大縦断面図である。
【図５】作用を説明する１部を切欠いた要部拡大斜視図である。
【符号の説明】
１  廃棄物処理場あるいは屋外貯水槽における雨水排出兼冷却装置
２  貯留槽あるいは貯水槽部
３  上遮水シート部
４  雨水排出兼冷却装置部
４Ａ  雨水排出装置
４Ｂ  冷却装置
【図１】
0003577440.tif 000002
【図２】
0003577440.tif 000003
【図３】
0003577440.tif 000004
【図４】
0003577440.tif 000005
【図５】
0003577440.tif 000006